(57)【特許請求の範囲】
【請求項１】
入力情報に対応する変換候補を記憶する記憶部と、
入力情報に対応する変換候補を前記記憶部から抽出し、表示手段に表示する制御部と、
を有する電子機器であって、
前記制御部は、
利用対象外とする非利用用語の指定を受付けた場合に、前記非利用用語に対応する変換候補を利用対象外として設定するとともに、前記非利用用語の関連用語に対応する変換候補を利用対象外として設定し、
利用対象外として設定された変換候補と同一の入力情報が入力された場合、前記制御部は、この入力された入力情報に対応する変換候補に対する利用対象外の設定を解除することを特徴とする電子機器。
【請求項２】
前記制御部は、入力情報に対応する変換候補を表示する際に、利用対象外として設定された変換候補を除外し、または利用対象外として設定された変換候補以外の変換候補を優先的に表示することを特徴とする請求項１に記載の電子機器。
【請求項３】
前記制御部は、利用対象外の設定を解除された変換候補の関連用語に対する利用対象外
の設定を解除することを特徴とする請求項２に記載の電子機器。
【請求項４】
入力情報に対応する変換候補を記憶する記憶部から入力情報に対応する変換候補を抽出し、該変換候補を表示手段に表示し、
利用対象外とする非利用用語の指定を受付けた場合に、前記非利用用語に対応する変換候補を利用対象外として設定するとともに、前記非利用用語の関連用語に対応する変換候補を利用対象外として設定し、
利用対象外として設定された変換候補と同一の入力情報が入力された場合、この入力された入力情報に対応する変換候補に対する利用対象外の設定を解除する、
処理をコンピュータに実行させる表示プログラム。
【発明の詳細な説明】
【技術分野】
【０００１】
本発明は、情報を変換する技術に関し、例えば、入力情報に対応する変換候補の表示に関する。
【背景技術】
【０００２】
文章等の情報を生成する携帯電話機等の電子機器では、情報入力操作の負担を軽減する工夫がされている。例えば、入力された文字列と先頭部分が一致する文字列を学習辞書から読み出して、読み出した文字列を、ユーザが選択することによって文字列の入力を確定させることのできる変換候補として表示することが知られている（例えば、特許文献１）。検索操作の負担軽減に関し、文献データの登録時に、文献データを単語に分割して、不要な単語を除去してキーワードとして採用して、検索時の高いヒット率を実現しながら検索時間を短縮することが知られている（例えば、特許文献２）。蓄積した知識の分類に関し、蓄積された知識群を知識クラスタに仕分けるにあたり、重要語や不要語、同義語等をユーザに設定させる仕組みをもち、その設定に基づき仕分けることにより、ユーザの意図した通りの分類を実現することが知られている（例えば、特許文献３）。
【先行技術文献】
【特許文献】
【０００３】
【特許文献１】特開２０１０−２６２４６５号公報
【特許文献２】特開平０６−３０９３６２号公報
【特許文献３】特開２００３−０４４４９１号公報
【発明の概要】
【発明が解決しようとする課題】
【０００４】
ところで、携帯電話機等の電子機器に、予め多くの変換候補の文字列を登録すると、多数の変換候補が表示されることになる。また、電子機器の利用過程において自動又は手動により新しい用語が辞書に登録されることにより、表示される変換候補は増加する。大量の変換候補の表示は、少ないキー操作によって、利用者が必要とする変換候補を表示させる一方、利用者が必要とする変換候補が大量の変換候補の中に埋もれてしまい、大量の変換候補の中から利用者が必要とする変換候補を確認し難いという課題がある。特許文献１、２、３には、斯かる課題の開示や示唆はなく、特許文献１、２、３に開示された構成では斯かる課題を解決することができない。
【０００５】
そこで、本開示の電子機器および表示プログラムは、入力により表示される変換候補の利便性を高めることを目的とする。
【課題を解決するための手段】
【０００６】
上記目的を達成するため、本開示の電子機器は、記憶部と、制御部とを有する。記憶部は、入力情報に対応する変換候補を記憶する。制御部は、入力情報に対応する変換候補を記憶部から抽出し、表示手段に表示する。また制御部は、利用対象外とする非利用用語の指定を受付けた場合に、非利用用語に対応する変換候補を利用対象外として設定し、利用対象外として設定された変換候補と同一の入力情報が入力された場合、前記制御部は、この入力された入力情報に対応する変換候補に対する利用対象外の設定を解除するとともに、非利用用語の関連用語に対応する変換候補を利用対象外として設定する。
【発明の効果】
【０００７】
本開示の電子機器および表示プログラムによれば、次のいずれかの効果が得られる。
【０００８】
(1) 非利用用語およびその関連用語を利用対象外として設定するので、所望の変換候補の探知が容易になる。
【０００９】
(2) 変換候補の利便性が高まる。
【図面の簡単な説明】
【００１０】
【図１】第１の実施の形態に係る電子機器を表す図である。
【図２】変換候補、非表示候補及び関連候補の関係の一例を表す図である。
【図３】変換候補画面の変化の一例を示す図である。
【図４】変換候補を非表示にする処理手順の一例を示すフローチャートである。
【図５】第２の実施の形態に係る電子機器の一例を示す図である。
【図６】記憶部の一例を示す図である。
【図７】プロセッサの一例を示す図である。
【図８】非利用用語及び関連用語の抽出及び登録の一例を表す図である。
【図９】表示部の変化の一例を示す図である。
【図１０】非利用用語の表示化の一例を表す図である。
【図１１】変換候補を非表示又は表示にする処理手順の一例を示すフローチャートである。
【図１２】非利用用語を削除する処理手順の一例を示すフローチャートである。
【図１３】関連用語を削除する処理手順の一例を示すフローチャートである。
【図１４】用語「安産」を復活させる例を示す図である。
【図１５】削除済み用語を復活させる処理手順の一例を示すフローチャートである。
【図１６】削除済み関連用語を復活させる処理手順一例を示すフローチャートである。
【図１７】非利用用語を非表示にする一例を示す操作シーケンス図である。
【図１８】関連用語を非表示にする一例を示す操作シーケンス図である。
【図１９】非利用用語を復元する一例を示す操作シーケンス図である。
【図２０】第３の実施の形態に係る非利用用語を削除する処理手順の一例を示すフローチャートである。
【図２１】関連用語を削除する処理手順の一例を示すフローチャートである。
【図２２】削除済み用語を復活させる処理手順の一例を示すフローチャートである。
【図２３】削除済み関連用語を復活させる処理手順一例を示すフローチャートである。
【図２４】非利用用語を非表示にする一例を示す操作シーケンス図である。
【図２５】関連用語を非表示にする一例を示す操作シーケンス図である。
【図２６】非利用用語を復元する一例を示す操作シーケンス図である。
【図２７】第４の実施の形態に係る携帯電話機の一例を示す図である。
【図２８】変換候補画面の変化の一例を示す図である。
【発明を実施するための形態】
【００１１】
〔第１の実施の形態〕
【００１２】
本開示の第１の実施の形態について、図１を参照して説明する。図１は第１の実施の形態に係る電子機器を表す図である。尚、図１に示す構成は一例であって、斯かる構成に本開示が限定されるものではない。
【００１３】
電子機器２は、本開示の電子機器の一例であって、本開示の表示プログラムを搭載し、電子機器２の制御部４により、この表示プログラムを実行して、入力情報に対応する変換候補を表示する。この表示プログラムの実行は、例えば、制御部４として、プロセッサが記憶部に記憶されたプログラムを実行することを伴い、この表示プログラムの実行により各機能が実現される。この電子機器２は、例えば情報を表示する情報表示機器であり、携帯電話機、個人用情報端末（PDA：Personal Digital Assistant）等の携帯端末装置、パーソナルコンピュータ等であり、制御部４を備えてコンピュータを構成している。この制御部４は、利用対象外とする非利用用語の指定を受付けた場合に、非利用用語に対応する変換候補を利用対象外として設定するとともに、非利用用語の関連用語に対応する変換候補を利用対象外として設定する機能を備えている。この制御部４には一例として情報表示機能６と、情報非表示機能８と、関連情報非表示機能１０とが含まれている。
【００１４】
情報表示機能６は、情報を表示する手段の一例であり、電子機器２に対して入力される入力情報に基づいて、この入力情報に対応する変換候補を表示する。情報表示機能６は、例えば、入力情報に対応する変換候補を記憶する記憶部１４から入力情報に対応する変換候補を抽出し、該変換候補を表示手段に表示する。この変換候補は、入力情報の変換の際に用いられる変換情報の一例であって記号列を含んでいる。この変換候補の記号列は、入力情報が表す記号列または入力情報が表す記号列に関連する記号列から始まる記号列である。例えば、入力情報「あん（ann）」に対応する日本語の変換候補として、安全運転（anzenunntenn）、安産（annzann）、行脚（anngya）、安心（annsinn）、アンコウ（annkou）、案（ann）等がある。なお、括弧内の文字列は、各変換候補の日本語による読みの表記であり、各変換候補の先頭の文字列が、入力情報と一致している。記号列は、文字の他、例えば「％（パーセント）」、「＄（ドル）」及び「＆（アンド）」等の特定の意味を表す記号や数字で構成し、またはこれらを組み合わせて構成する。これらの変換候補は、例えば記憶部１４に記憶されている。そして電子機器２に対して入力情報が入力されると、例えば記憶部１４から抽出される。
【００１５】
情報非表示機能８は、情報を利用対象外に設定する手段の一例である。情報非表示機能８は、非利用用語の指定を受け付けた場合に、非利用用語に対応する変換候補を利用対象外として設定する。非利用用語に対応する変換候補を利用対象外として設定する機能の一例として、情報非表示機能８では、利用対象外の変換候補以外の変換候補を優先的に扱うとともに、非利用用語に対応する変換候補を非表示にしている。非利用用語は、利用対象外とする用語の一例である。また、非利用用語に対応する変換候補は、非利用用語との間に同一性又は対応性を有する変換候補であって、例えば、非表示にされる変換候補であり、非表示候補の一例である。情報非表示機能８は、例えば、非表示候補を記憶部１４に登録する。この非表示候補は、例えば、変換候補から抽出される。情報非表示機能８により、この非表示候補が記憶部１４に登録されると、この非表示候補が利用対象外として設定され、この非表示候補は、変換候補表示に対して非表示に制御される。すなわち、情報非表示機能８が非表示とする情報を記憶部１４に登録することで非表示とする情報が非表示になり、変換候補の表示の際に非表示とする情報の表示が除かれる。非表示候補及び変換候補から抽出される情報は、文字、記号又は数字又はこれらの組み合わせを含む記号列を含んでいる。
【００１６】
関連情報非表示機能１０は、特定の情報の関連情報を利用対象外に設定する手段の一例である。関連情報非表示機能１０は、非利用用語の関連用語に対応する変換候補を利用対象外として設定する。関連用語に対応する変換候補を利用対象外として設定する機能の一例として、関連情報非表示機能１０は、利用対象外の変換候補以外の変換候補を優先的に扱うとともに、関連用語に対応する変換候補を非表示にしている。関連情報非表示機能１０は、対象となる情報に関連する情報を抽出し、この関連情報を非表示にする。関連情報非表示機能１０は、例えば、記憶部１４が記憶している非表示候補に基づいて、この非表示候補に関連する関連候補を抽出し、変換候補表示に対して非表示する。この抽出した関連候補は、変換候補から抽出される情報であり、例えば非表示候補に関連する関連情報又は、非利用用語の関連用語に対応する変換候補の一例である。関連候補及び関連情報は、文字、記号又は数字又はこれらを組み合わせた記号列を含む。関連候補と非表示候補とは、特定の用語、単語又はキーワードにより関係づけられている。
【００１７】
次に、変換候補の表示、非表示候補の抽出及び関連候補の抽出について図２を参照する。図２は、変換候補、非表示候補及び関連候補の関係の一例を表す図である。尚、図２に示す関係は、入力情報として「あん」を用いた場合における変換候補、非表示候補及び関連候補の関係の一例である。本開示は入力情報として「あん」を用いる場合に限定されるものではない。また、「あん」を入力情報とした場合の、変換候補、非表示候補及び関連候補の範囲が、本開示に限定されるものではない。
【００１８】
情報表示機能６により、図２Ａに示す変換候補画面１２には、入力情報「あん」の変換候補として、用語「安全運転」、「安産」、「行脚」、「安心」、「アンコウ」、「案」等が表示される。なお、変換候補画面１２中の破線は、その他の用語が表示されていることを表すために用いられている。
【００１９】
情報非表示機能８は、表示されている変換候補の中から用語「安産」を抽出し、非表示候補として図２Ｂに示す記憶部１４に登録し、用語「安産」を非表示にする。
【００２０】
関連情報非表示機能１０は、記憶部１４に記憶されている用語「安産」に関連する用語を関連候補として抽出する。関連情報非表示機能１０は、用語「安産」に基づいて、マタニティに関する関連用語として、図２Ｃに示す用語「腹帯」、「産婦人科」、「妊婦」を抽出する。関連情報非表示機能１０は、このようにして抽出された用語「安産」、「腹帯」、「産婦人科」、「妊婦」を非表示にする情報として設定し、変換候補を表示する際に、非表示とする情報が表示されないように制御する。
【００２１】
図３Ａに示す変換候補画面１２を表示中に用語「安産」が選択され、用語「安産」に関連する用語が抽出されると、これらの用語が利用対象外に設定される。制御部４は、利用対象外に設定された用語以外の用語を、変換候補画面１２に優先的に表示させる。用語「安全運転」、「行脚」、「安心」、「アンコウ」、「案」、・・・が用語「安産」よりも優先的に表示される。つまり、利用対象外に設定された変換候補が除かれ、それ以外の変換候補が前側に詰められて表示されるので、それ以外の変換候補の優先性が高まる。また、制御部４は、例えば、利用対象外に設定された用語を表示から除外する。この結果、図３Ｂに示す変換候補画面１２に表示画面が変化する。図３Ｂに示す変換候補画面１２では、用語「安産」の表示が削除されている。また、用語「腹帯」、「産婦人科」、「妊婦」についても表示自体が抑制される。電子機器２が抽出された用語を非表示にし、その結果として、表示する変換候補の数を抑制することができる。
【００２２】
次に、変換候補を表示する処理手順について、図４を参照する。図４は、変換候補を非表示にする処理手順の一例を示すフローチャートである。
【００２３】
この変換候補を表示する処理手順は本開示の表示プログラムの一例であり、表示プログラムに基づいて、電子機器２のコンピュータがこの処理手順を実行する。この処理手順では、情報の入力を受け付け（Ｓ１）、この入力された入力情報に基づいて、入力情報に対応する変換候補を記憶部１４から抽出し、表示手段の画面に表示する（Ｓ２）。表示されている変換候補から非表示候補が抽出され、利用対象外とする非利用用語の指定を受け付けると、非表示候補が選択されたと判断する（Ｓ３のＹＥＳ）。この抽出された非表示候補を記憶部１４に登録し（Ｓ４）、非利用用語に対応する変換候補が利用対象外として設定される。そして、非表示候補を変換候補から削除する（Ｓ５）。
【００２４】
非表示候補に関連する関連候補を記憶部１４に記憶されている非表示候補に基づき抽出して（Ｓ６）、利用対象外として設定する。この抽出した関連候補を変換候補から削除し（Ｓ７）、変換機能が終了したかを判断する（Ｓ８）。この変換機能は、入力情報を変換候補に変換する機能であり、特定の変換候補の決定処理により終了し、この変換機能の取り消し処理により、入力情報の変換を行わずに強制終了する。変換機能が終了しない場合は（Ｓ８のＮＯ）、情報の入力が受け付けられるとともに（Ｓ１）、変換候補の表示が維持される（Ｓ２）。非表示候補と関連候補は変換候補から削除されているので、表示から削除され、非表示となる。
【００２５】
表示されている変換候補から非表示候補が抽出されず、非表示候補が選択されないと判断すると（Ｓ３のＮＯ）、変換候補が決定されたかを判断し（Ｓ９）、変換候補が決定されない場合（Ｓ９のＮＯ）、情報入力（Ｓ１）へ戻り、変換候補の表示を維持する（Ｓ２）。変換候補が決定されると（Ｓ９のＹＥＳ）、変換機能が終了したかを判断する（Ｓ８）。変換機能が終了すると（Ｓ８のＹＥＳ）、変換候補を表示する処理手順が終了する。
【００２６】
利用対象外とする非利用用語の指定を受けた場合に、利用対象外の変換候補が設定されるので、所望の変換候補の探知を容易にすることができ、変換候補の利便性を高めることができる。利用対象外の変換候補を設定するほか、表示された変換候補から抽出された非表示候補が除外されて非表示にされる。さらに、非表示候補から、非表示候補に関連する関連候補が抽出され、非表示候補と共に非表示にされるので、変換候補に対して、非表示候補及び関連候補が非表示となり、表示される変換候補の数が抑制される。非表示候補の抽出に際し、例えば電子機器２のユーザが利用しないと判断した候補を非表示候補として抽出すると、これらの候補とともに、関連する候補も合わせて非表示にすることができる。また、非表示候補は記憶部１４に登録するので、変換候補の表示終了後においても非表示候補の非表示が維持され、新たな変換候補の表示においても非表示候補及び関連候補の非表示が維持される。これにより、非表示候補及びその関連候補以外の候補の表示優先的となるとともに、表示される変換候補の数が抑制される。
【００２７】
〔第２の実施の形態〕
【００２８】
本開示の第２の実施の形態に係る電子機器について、図５、図６及び図７を参照して説明する。図５は第２の実施の形態に係る電子機器の一例を示す図、図６は、記憶部の一例を示す図、図７はプロセッサの一例を示す図である。なお、図５、図６及び図７に示す構成は一例であって、斯かる構成に本開示が限定されるものではない。図１と同一部分には同一符号を付してある。
【００２９】
電子機器２は、本開示の電子機器の一例であって、本開示の表示プログラムを搭載し、電子機器２のプロセッサ１０２によりこの表示プログラムを実行して、プロセッサ１０２が入力情報に対応する変換候補を表示する。この電子機器２は、例えば情報を表示する情報表示機器であり、携帯電話機、個人用情報端末等の携帯端末装置、パーソナルコンピュータ等であり、プロセッサ１０２を備えてコンピュータを構成している。
【００３０】
記憶部１４は、記憶手段又は記録手段の一例であって、例えば、ＲＯＭ（Read Only Memory）１６及びＲＡＭ（Random Access Memory）１８を含む。ＲＯＭ１６は、不揮発性のメモリであって、例えばフラッシュメモリやＥＥＰＲＯＭ（Electrically Erasable and Programmable Read Only Memory ）等で構成する。ＲＯＭ１６は、ＯＳ（Operating System）や各種プログラムを記憶するほか、各種のデータの記憶に用いられる。ＲＡＭ１８は、高速なアクセスが可能なメモリであって、例えばデータの一時記憶に用いられる。図６に示すＲＡＭ１８は、変換候補表示バッファ２０、非利用バッファ２２、非利用関連キーワードバッファ２４及び入力バッファ２５を含む。変換候補表示バッファ２０は、変換候補として表示される記号を一時的に記憶する。非利用バッファ２２は、変換候補から抽出された記号を非利用用語として一時的に記憶する。非利用関連キーワードバッファ２４は、非利用用語に関連付けられた関連キーワードを一時的に記憶する。入力バッファ２５は、入力情報を一時的に記憶する。
【００３１】
図６に示すＲＯＭ１６はプログラム記憶部２６及びデータ記憶部３２を含んでいる。プログラム記憶部２６は、ＯＳ２８及びプログラム３０を記憶する。プログラム３０は、表示プログラムを含んでいる。データ記憶部３２は、非利用用語テーブル３４及び変換辞書３６を含んでいる。
【００３２】
非利用用語テーブル３４は、非利用にする用語を登録するためのテーブルの一例であって、非利用にする用語を格納する非利用辞書を構成し、変換候補から抽出される非利用用語及び非利用用語の関連用語を格納する。この非利用用語及び関連用語には、これらの用語に関連する関連キーワードが付され、非利用用語テーブル３４には、非利用用語とともに関連キーワードが関連用語に関連付けられて格納される。
【００３３】
変換辞書３６は、用語を記憶する用語辞書の一例であって、例えば入力された用語の登録機能を有し、用語の数を増加させる学習機能を有する学習辞書である。変換辞書３６は、変換候補が表示される際に変換候補となる用語を提供する。変換辞書３６は、この辞書に登録されている辞書登録用語の関連キーワードを格納する機能を有する。変換辞書３６には、辞書登録用語に関連付けて関連キーワードが格納される。
【００３４】
図７に示すプロセッサ１０２は、制御部４（図１）の一例であり、記憶部１４に記憶されているＯＳ２８や本開示の表示プログラム等の各種プログラムを実行するための演算手段の一例であり、表示処理、記号情報の処理等の処理を行う。プロセッサ１０２は、表示プログラムの実行により、情報表示機能６、非利用用語非表示機能４２及び関連用語非表示機能４４を含み、これらの機能に加え、情報表示化機能４６を含む。
【００３５】
情報表示機能６は、情報を表示する手段の一例であり、電子機器２に対して入力される入力情報に基づいて、この入力情報の変換候補を表示する。また、変換候補から抽出される非利用用語の関連用語を非表示にする際に、関連用語を表示して、電子機器２を操作するユーザに対して告知する。非利用用語は、変換候補から抽出される情報及び非表示候補の一例であり、例えば変換候補に対して非表示に制御されることで、変換候補から非利用にされる記号である。関連用語は、変換候補から抽出される情報に関連する関連情報及び関連候補の一例である。変換候補は第１の実施の形態と同様であるのでその説明を省略する。
【００３６】
非利用用語非表示機能４２は、情報を非表示にする手段又は情報非表示機能８の一例であり、例えば、変換候補から抽出される情報を非利用用語として非利用用語テーブル３４に登録する。また、非利用用語非表示機能４２は、非利用用語を変換辞書３６から削除する。
【００３７】
関連用語非表示機能４４は、関連情報非表示機能１０の一例であり、対象となる情報に関連する情報を抽出し、この関連情報を非表示にする。関連用語非表示機能４４は、非利用用語テーブル３４に登録されている非利用用語に関連する関連用語を抽出する。非利用用語テーブル３４に登録されている非利用用語には、この非利用用語に関連する関連キーワードが付されている。関連用語非表示機能４４は、この関連キーワードを基に、同じ関連キーワードを有する情報を関連用語として抽出し、非利用用語テーブル３４に登録する。関連用語非表示機能４４は、非利用用語テーブル３４に登録した関連用語を変換辞書３６から削除する。非利用用語及び関連用語が非利用用語テーブル３４に登録され、変換辞書３６から削除される。これにより、非利用用語及び関連用語が非表示にされる。なお、用語の非表示は、用語を利用対象外として設定することの一例である。すなわち、非利用用語非表示機能４２は、非利用用語の指定を受け付けた場合に、非利用用語に対応する変換候補を利用対象外として設定する。関連用語非表示機能４４は、非利用用語の関連用語に対応する変換候補を利用対象外として設定する。
【００３８】
情報表示化機能４６は、非表示情報を表示化させる手段の一例である。情報表示化機能４６は、用語の編集の際に、非利用用語テーブル３４に登録されている用語が入力されると、入力された用語を変換辞書３６に復元し、変換候補として表示可能な状態に変更する。例えば、利用対象外として設定された変換候補と同一の入力情報が入力された場合、この入力された入力情報に対応する変換候補に対する利用対象外の設定を解除する。入力された用語を変換辞書３６に復元する際、この入力された用語に関連する関連用語も含めて変換辞書３６に復元する。即ち、設定が解除される変換候補の関連用語に対する利用対象外の設定も解除する。
【００３９】
キー入力部１０４は、操作に応じてデータを生成するデータ生成手段の一例であり、例えば、操作入力キー、キーボード又はタッチパネルで構成する。また、キー入力部１０４は、例えば、キーを表示した画面と、マウスや移動キー等のポインティング・デバイスとを含んで構成し、ポインティング・デバイスを操作して画面のキーを選択して、データを生成するようにする。キー入力部１０４の操作により、キー入力部１０４が入力情報を生成する。
【００４０】
表示部１０６は、情報を表示する表示手段の一例であって、例えば、液晶ディスプレイや有機ＥＬ（Electro Luminescence）ディスプレイ等の各種ディスプレイ装置で構成され、文字、数字、記号及び記号列等を表示し、入力情報の変換候補を表示する。
【００４１】
オーディオ入出力部１０８は、音声情報を入出力する手段の一例である。オーディオ入出力部１０８は、スピーカ１１０及びマイクロホン１１２に接続し、スピーカ１１０及びマイクロホン１１２と、プロセッサ１０２との間の音声信号の入力及び出力を行う。
【００４２】
無線部１１４は、情報の通信手段の一例であって、例えば、アンテナ１１６に接続し、アンテナ１１６を介して情報の送受信を行う。
【００４３】
電子機器２では、プロセッサ１０２は記憶部１４、キー入力部１０４、表示部１０６、オーディオ入出力部１０８および無線部１１４と接続している。この接続により、プロセッサ１０２はこれらの装置からデータを受信し、これらの装置へデータを送信する。プロセッサ１０２とこれらの装置との接続には例えば信号線を用いた有線接続が用いられ、又は無線接続が用いられる。
【００４４】
次に、非利用用語及び関連用語の非表示について図８を参照する。図８は、非利用用語及び関連用語の抽出及び登録の一例を表す図である。尚、図８に示す抽出及び登録は、入力情報として「あん」を用いた場合の一例である。本開示は入力情報として「あん」を用いる場合に限定されるものではない。また、「あん」を入力情報とした場合の、変換候補、非表示候補及び関連候補の範囲が、本開示に限定されるものではない。
【００４５】
非利用用語は、例えば表示されている変換候補から、非利用とする変換候補を非利用用語として選択することで抽出される。非利用とする変換候補を選択して非利用ボタン１３６を押下すると、選択された変換候補が非利用用語として非利用用語テーブル３４に登録される。非利用用語が非利用用語テーブル３４に登録されると、関連用語が抽出され、非利用用語とともに、関連用語も合わせて非利用用語テーブル３４に登録される。
【００４６】
電子機器２において、たとえばメール編集を行うと、図８Ａに示す表示部１０６のメール編集画面１３２には、メール編集の文書として例えば「最初に浮かんだあん」が表示される。メール編集の文書中の後尾の文字列「あん」には下線が施され、変換途中の文字列であることが示されている。表示部１０６の変換候補画面１２には、文字列「あん」を入力情報とする変換候補として、用語「安全運転」、「安産」、「行脚」、「安心」、「アンコウ」、「案」、・・・が表示され、非利用用語の抽出を指示する非利用ボタン１３６が表示される。用語「安産」には下線が施され、この用語が選択されていることが示されている。表示部１０６では、メール編集画面１３２が表示部１０６の上部に表示され、変換候補画面１２がメール編集画面１３２の下部に表示される。また、非利用ボタン１３６は、変換候補画面１２の下端部に表示される。これらの表示は、情報表示機能６により行われる。
【００４７】
変換候補画面１２の表示中に変換候補の一覧から非利用用語として用語「安産」が選択され、選択後に非利用ボタン１３６が押下操作されると、非利用用語非表示機能４２が選択された用語「安産」を図８Ｂに示す非利用用語テーブル３４に登録し、図８Ｃに示す変換辞書３６から利用記号「安産」を削除する。
【００４８】
関連用語の抽出は、例えば、非利用用語に付されている関連キーワードと同じ関連キーワードが付されている用語を抽出することで行われる。例えば、非利用用語「安産」に、関連キーワードとして「マタニティ」が付され、用語「安産」の関連用語を抽出する場合、関連キーワード「マタニティ」が付された用語が関連用語として抽出される。例えば、図８Ｄに示す抽出では、用語「腹帯」、「産婦人科」及び「妊婦」が抽出される。非利用用語と抽出された関連用語は、同じ関連キーワードを有するので、関連が密接であり、例えば類似関係を有する。よって、非利用用語に類似する類似用語は関連用語として抽出され得る。抽出した関連用語は、関連用語非表示機能４４により図８Ｅに示す非利用用語テーブル３４に追加され、情報表示機能６により図８Ｆに示す表示部１０６に非利用用語画面１３８が表示される。非利用用語画面１３８は、抽出した関連用語を表示する画面の一例であって、非利用用語テーブル３４に登録された関連用語を非利用用語として画面表示する。非利用用語画面１３８は、例えば、メール編集画面１３２の下部に設定され、非利用用語画面１３８の下端部には、非利用ボタン１４０が設定される。この非利用ボタン１４０を押下して非利用が選択されると、関連用語非表示機能４４が、画面に表示された非利用用語を図８Ｇに示す変換辞書３６から削除する。これにより、抽出した関連用語が変換候補に対して非表示になる。図９Ａに示す変換候補画面１２を表示中に用語「安産」が選択され、用語「安産」及びこれに関連する用語が非利用用語テーブル３４に登録されると、図９Ｂに示す変換候補画面１２に表示画面が変化する。図９Ｂに示す変換候補画面１２では、用語「安産」の表示が削除されている。また、用語「腹帯」、「産婦人科」、「妊婦」についても表示自体が抑制される。
【００４９】
次に、非表示にした用語の表示化について図１０を参照する。図１０は、非利用用語の表示化の一例を表す図である。尚、図１０に示す表示化は、入力情報として「安産」を用い、用語「安産」、「腹帯」、「産婦人科」及び「妊婦」が利用用語テーブル３４に登録されている場合の一例である。本開示は入力情報として「安産」を用いる場合に限定されるものではない。また、「安産」を入力情報とした場合に表示化される用語等の範囲が、本開示に限定されるものではない。
【００５０】
非利用用語及び関連用語の表示化は、たとえば、利用者がメール編集等の編集画面に用語を入力した場合に行われる。利用者が非利用用語テーブル３４に登録されている用語を入力すると、この入力された用語が変換辞書３６に再登録され、非利用用語テーブル３４から削除される。非利用用語及び関連用語が非利用用語テーブル３４から削除され、変換辞書３６に復元することで、これらの用語が変換候補として表示可能になる。入力された用語は、非利用用語テーブル３４に登録されている用語であればよく、非利用用語又は関連用語のいずれでもよい。
【００５１】
利用者が、図１０Ａに示すメール編集画面１３２に用語「安産」を入力すると、情報表示化機能４６は、入力された用語を認識し、この入力された用語と、図１０Ｂに示す非利用用語テーブル３４に登録されている用語とを比較する。図１０Ｂに示す非利用用語テーブル３４には、用語「安産」、「腹帯」、「産婦人科」、「妊婦」が登録されているので、比較の結果、入力された用語「安産」と同じ用語が非利用用語テーブル３４に登録されていることになる。この場合、情報表示化機能４６は、非利用用語テーブル３４に登録された用語「安産」を非利用用語テーブル３４から削除し、図１０Ｃに示す変換辞書３６に復元する。用語「安産」は変換辞書３６に復元されることにより、変換候補として表示可能な状態に変更される。
【００５２】
情報表示化機能４６は、非利用用語であった用語「安産」の関連用語を関連キーワードに基づき抽出する。用語「安産」の関連キーワード「マタニティ」に基づいて、図１０Ｄに示す用語「腹帯」、「産婦人科」、「妊婦」が抽出される。情報表示化機能４６は、抽出した用語「腹帯」、「産婦人科」、「妊婦」を非利用用語テーブル３４から削除し、図１０Ｅに示す変換辞書３６に復元する。用語「腹帯」、「産婦人科」、「妊婦」は変換辞書３６に復元されることにより、変換候補として表示可能な状態に変更される。
【００５３】
次に用語の非表示又は表示化の処理手順について、図１１ないし図１６を参照する。図１１は、変換候補を非表示又は表示にする処理手順の一例を示すフローチャート、図１２は、非利用用語を削除する処理手順の一例を示すフローチャートであって、図１１に示す非利用用語の削除処理（Ｓ１０６）のサブルーチンである。図１３は、関連用語を削除する処理手順の一例を示すフローチャートであって、図１２に示す関連用語削除処理（Ｓ１２３）のサブルーチンである。図１４は、用語「安産」を復活させる例を示す図、図１５は、削除済み用語を復活させる処理手順の一例を示すフローチャートであって、図１１に示す削除済み用語の復活処理（Ｓ１０８）のサブルーチンである。図１６は、削除済み関連用語を復活させる処理手順一例を示すフローチャートであって、図１５に示す削除済み関連用語の復活処理（Ｓ１６５）のサブルーチンである。これらの処理手順は本開示の表示プログラムの一例である。
【００５４】
図１１に示す処理手順では、表示部１０６に表示されたメール編集画面１３２の編集部分にかな入力を受け付けると（Ｓ１０１）、受け付けた入力に対応する変換候補を変換辞書３６から抽出し、変換候補画面１２に表示する（Ｓ１０２）。また、非利用ボタン１３６を変換候補画面１２に表示する（Ｓ１０３）。非利用ボタン１３６が操作されると、利用対象外とする非利用用語の指定が受け付けられる。表示された変換候補の中から非利用にする変換候補の用語が選択される（Ｓ１０４のＹＥＳ）。選択された用語を非利用バッファ２２に読み込み（Ｓ１０５）、非利用用語の削除処理（Ｓ１０６）を行う。この削除処理により、選択された用語と、選択された用語に関連する用語の双方が利用対象外の用語として設定されることになる。選択された用語と、選択された用語に関連する用語の双方は変更候補に対して非表示にされる。
【００５５】
非利用ボタン１３６が操作されず、変換候補の用語が選択されない場合（Ｓ１０４のＮＯ）、かな入力の変換候補が決定されると（Ｓ１０７のＹＥＳ）、削除済み用語の復活処理（Ｓ１０８）を行う。かな入力の変換候補の決定は、変換候補画面１２に表示された候補から選択して決定するほか、変換候補画面１２に表示されていない候補を選択して決定する場合も含まれる。変換候補画面１２に表示されていない候補の選択は、例えば、かな入力の部分的な変換を繰り返すことで、かな入力全体を変換する。たとえば、かな入力が「あんざん」であり、「安産」へ変換する場合、「あん」を「安」に変換し、「ざん」を「産」に変換することで「あんざん」を「安産」へ変換できる。決定された変換候補が削除済み用語である場合には、削除済み用語の復活処理により、この削除済み用語と、この削除済み用語に関連する用語の双方を復元して、変換候補に対して表示可能にする。
【００５６】
変換候補が決定されない場合（Ｓ１０７のＮＯ）、変換候補の画面表示（Ｓ１０２）及び非利用ボタン１３６の画面表示（Ｓ１０３）を維持する。
【００５７】
非利用用語の削除処理（Ｓ１０６）又は削除済み用語の復活処理（Ｓ１０８）の後、変換機能が終了したかを判断し（Ｓ１０９）、終了した場合（Ｓ１０９のＹＥＳ）、処理を終了し、変換機能が終了していない場合（Ｓ１０９のＮＯ）、編集部分へのかな入力（Ｓ１０１）に戻る。
【００５８】
〔非利用用語の非表示化〕
【００５９】
図１２に示す非利用用語の削除処理手順は、図１１に示す非利用用語の削除処理（Ｓ１０６）のサブルーチンであって、既述の非利用用語非表示機能４２及び関連用語非表示機能４４により実行される。例えば利用者により非利用ボタン１３６が押下されると、非利用用語非表示機能４２及び関連用語非表示機能４４が起動する。非利用用語非表示機能４２では、非利用用語を変換辞書３６から削除するとともに、変換辞書３６に登録されている非利用用語の関連キーワードを抽出し、非利用用語テーブル３４の関連キーワードに記録する。非利用用語非表示機能４２では、変換候補の一覧より用語が選択され、非利用ボタン１３６が押下されたことを検出すると、非利用用語テーブル３４に「非利用」として選択された用語を記録する。
【００６０】
この処理手順では、非利用用語非表示機能４２が非利用用語テーブル３４に非利用用語を記録し（Ｓ１２１）、非利用用語を変換辞書３６から削除する（Ｓ１２２）。この記録及び削除処理により非利用用語が変換候補として表示されることが防止され、非利用用語が非表示化される。そして関連用語非表示機能４４が関連用語の削除処理を行った後（Ｓ１２３）、変換機能が終了したかを確認する処理（図１１、Ｓ１０９）へリターンする。
【００６１】
図１３は、関連用語削除処理の処理手順を表している。斯かる処理は、関連用語非表示機能４４が実行する。
【００６２】
関連用語非表示機能４４では、非利用用語テーブル３４に登録されている非利用用語の関連キーワードをもとに、変換辞書３６よりこの関連キーワードが付されている用語を関連用語として抽出して非利用用語テーブル３４に追加する。その時、電子機器２の非利用用語画面１３８に非利用用語の一覧を表示し、一覧が表示されている時に、非利用ボタン１４０が押下された場合、これらの非利用用語を変換辞書３６より削除する。これにより、非利用用語テーブル３４に登録した用語は、変換候補に表示されないとともに、非利用用語テーブル３４に登録した用語の関連用語も含め変換候補に表示されないように抑止することが可能となる。
【００６３】
関連用語削除処理の処理手順では、関連用語非表示機能４４が非利用用語テーブル３４に登録されている非利用用語の関連キーワードを抽出すると（Ｓ１４１）、変換辞書３６から同一の関連キーワードが付与されている用語を抽出する（Ｓ１４２）。同一の関連キーワードが付与されている用語は、非利用用語に関連する関連用語にあたる。関連用語非表示機能４４は、この関連キーワードが付与されている用語を非利用用語テーブル３４に登録し（Ｓ１４３）、非利用用語として非利用用語画面１３８に表示する（Ｓ１４４）。非利用用語画面１３８には非利用ボタン１４０が表示され、非利用ボタン１４０が押下されない場合は（Ｓ１４５のＮＯ）、画面表示を維持し、押下されると（Ｓ１４５のＹＥＳ）、非利用用語テーブル３４に関連キーワードを記録する（Ｓ１４６）。関連用語として抽出された非利用用語を変換辞書３６から削除し（Ｓ１４７）、変換候補として表示しない状態にした後、非利用用語の削除処理手順のリターン処理へ移行する。
【００６４】
電子機器２は、利用者が必要としない用語を記録する非利用用語辞書として非利用用語テーブル３４を備える。電子機器２には、変換候補を画面に表示する際に、変換候補の中から非利用用語辞書への用語登録を行うための登録キーとして非利用ボタン１３６、１４０を画面上に追加する。これにより、非利用用語辞書に登録した用語は、文字変換候補に表示されないとともに、非利用用語辞書に登録した用語の関連用語も含め全て変換辞書３６から非利用用語辞書に移動するとともに、変換候補に表示されないように抑止することが可能となる。
【００６５】
〔非表示用語の表示化〕
【００６６】
非利用用語として変換辞書３６から削除された用語が利用者により使用された場合、情報表示化機能４６がこの使用された用語を変換辞書３６に復元する。すなわち、非利用用語として変換辞書３６から削除された用語が使用されることにより、使用された用語が情報表示化機能４６により変換辞書３６に再登録される。これらの処理を行うため、利用者が文字入力を行う度に、変換辞書３６への用語の復元の監視のため、情報表示化機能４６が起動される。情報表示化機能４６は、利用者が入力した文字と非利用用語テーブル３４に登録されている非表示用語との比較を行い、変換辞書３６への用語の復活処理を行う。
【００６７】
図１４Ａに示す非利用用語テーブル３４Ａ及び変換辞書３６Ａは、復活処理前のテーブル及び辞書の一例である。非利用用語テーブル３４Ａは、用語欄１５２及び関連キーワード欄１５４が設定され、用語欄１５２には、用語「安産」が登録され、関連キーワード欄１５４には、関連キーワード「マタニティ」が登録されている。関連キーワード「マタニティ」は、用語「安産」に関連付けられている。変換辞書３６Ａには、用語欄１５６及び関連キーワード欄１５８が設定され、用語欄１５６には、用語「安全運転」が登録され、関連キーワード欄１５８には、関連キーワード「交通」が登録されている。関連キーワード「交通」は、用語「安全運転」に関連付けられている。
【００６８】
非利用用語テーブル３４Ａ及び変換辞書３６Ａを有し、利用者が文字「安」及び文字「産」を入力して、用語「安産」を利用した場合を考える。この場合、情報表示化機能４６は非利用用語テーブル３４Ａに登録されている用語「安産」を関連キーワードとともに非利用用語テーブル３４から削除し、そして用語「安産」を関連キーワードとともに変換辞書３６に登録して、用語を変換辞書３６に復元させる。
【００６９】
図１４Ｂに示す非利用用語テーブル３４Ｂ及び変換辞書３６Ｂは、復活処理後のテーブル及び辞書の一例である。非利用用語テーブル３４Ｂでは、入力された用語「安産」及び関連キーワード「マタニティ」が削除されている。そして変換辞書３６Ｂでは、入力された用語「安産」及び関連キーワード「マタニティ」が登録されて、この用語及び関連キーワードが追加されている。即ち、復活処理を行うことにより用語「安産」が非利用用語テーブル３４から削除され、変換辞書３６に復元し、変換候補として表示可能な状態に復活する。
【００７０】
図１５に示す削除済み用語の復活処理手順は、削除済み用語の復活処理（図１１、Ｓ１０８）のサブルーチンである。図１５に示す削除済み用語の変換辞書３６への復活処理では、情報表示化機能４６により、入力された文字が非利用用語テーブル３４に登録されているか否かを判断する。入力された文字が非利用用語テーブル３４に登録されていない場合（Ｓ１６１のＮＯ）、斯かる処理を終了して変換機能が終了したか（図１１のＳ１０９）へリターンする。入力された文字が非利用用語テーブル３４に登録されている場合（Ｓ１６１のＹＥＳ）、この入力された文字の用語を変換辞書３６に追加して（Ｓ１６２）、この入力された文字の用語の関連キーワードを変換辞書３６に追加する（Ｓ１６３）。これにより、入力された文字の用語が変換辞書３６に復元される。そして、非利用用語テーブル３４に登録されているこの用語を非利用用語テーブル３４から削除し（Ｓ１６４）、削除済み関連用語の復活処理（Ｓ１６５）を行い、変換機能が終了したか（図１１のＳ１０９）へリターンする。
【００７１】
図１６に示す削除済み関連用語の復活処理手順は、削除済み関連用語の復活処理（図１５のＳ１６５）のサブルーチンである。情報表示化機能４６は、変換辞書３６に復元した用語の関連キーワードを抽出すると（Ｓ１８１）、この関連キーワードと関連づけられている用語を非利用用語テーブル３４から抽出する（Ｓ１８２）。情報表示化機能４６は、この関連キーワードと関連づけられている用語を変換辞書３６に登録して追加する（Ｓ１８３）。これにより、削除済み用語に関連付けられている削除済み関連用語が変換辞書に３６に復元される。情報表示化機能４６は、この追加した用語の関連キーワードを変換辞書３６に追加し（Ｓ１８４）、復元した用語を非利用用語テーブル３４から削除する（Ｓ１８５）。全ての抽出用語の処理が済んでいない場合（Ｓ１８６のＮＯ）、関連用語を非利用用語テーブル３４から抽出する処理（Ｓ１８２）へ戻り、処理を繰り返し、全ての抽出用語の処理が済むと（Ｓ１８６のＹＥＳ）削除済み用語の復活処理（図１５）へリターンする。
【００７２】
斯かる処理により、ユーザが入力した用語のみならず、この用語に関連した関連用語も復元させることができる。これにより、変換候補として一端非表示にした用語を利用した場合には、この用語とともにその関連用語を変換候補として表示可能に復活させ、用語の変換の利便性を高めることができる。
【００７３】
次に、非利用用語の非表示に係る操作シーケンスについて図１７を参照する。図１７は、非利用用語を非表示にする一例を示す操作シーケンス図である。尚、図１７に示す操作シーケンスは、入力情報として「あん」を用いた場合の一例である。本開示は入力情報として「あん」を用いる場合に限定されるものではない。また、「あん」を入力情報とした場合の操作シーケンスが、本開示に限定されるものではない。変換候補表示バッファ２０−１、２０−２は変換候補表示バッファ２０の変遷を表す。非利用バッファ２２−１、２２−２は、非利用バッファ２２の変遷を表す。非利用用語テーブル３４−１、３４−２、３４−３は、非利用用語テーブル３４の変遷を表す。変換辞書３６−１、３６−２は、変換辞書３６の変遷を表す。
【００７４】
電子機器２は、変換辞書３６−１の用語欄１５６に例えば以下の各用語を格納し、変換辞書３６−１の関連キーワード欄１５８に各用語に関連する以下の関連キーワードを格納している。
【００７５】
〔用語〕    〔関連キーワード〕
安全運転    交通
安産        マタニティ
行脚        宗教
安心        気持ち
アンコウ    深海魚
案          仕事
腹帯        マタニティ
産婦人科    マタニティ
妊婦        マタニティ
【００７６】
この場合において、例えば、文字「あん」がキー入力部１０４から入力されると、非利用用語の非表示に係るデータ操作が開始される。データ操作は以下の操作を含む。尚、以下の操作は一例である。
【００７７】
１．画面操作により「安産」を非利用バッファに読み込む。
２．「非利用」ボタンの押下により「安産」の非利用を決定する。
３．「非利用用語」を変換辞書から削除する。
【００７８】
〔１．画面操作により「安産」を非利用バッファに読み込む。〕
【００７９】
文字「あん」の変換候補として、「安全運転」、「安産」、・・・が変換候補表示バッファ２０−１に一時記憶される。画面操作により変換候補表示バッファ２０−２に示すように「安産」を選択すると、未登録状態にある非利用バッファ２２−１に用語「安産」が読み込まれて、用語「安産」を記憶する非利用バッファ２２−２となる。尚、変換候補表示バッファ２０−２において、安産には下線が付されているが、この下線は用語「安産」が選択されていることを表している。このとき、表示部１０６には、図８Ａに示す変換候補画面１２が表示される。
【００８０】
〔２．「非利用」ボタンの押下により「安産」の非利用を決定する。〕
【００８１】
非利用ボタン１３６の押下により用語「安産」の非利用が決定すると、非利用バッファ２２−２に記憶されている用語「安産」が非利用用語テーブル３４−１の用語欄１５２に登録され、非利用用語テーブル３４−２になる。
【００８２】
〔３．「非利用用語」を変換辞書から削除する。〕
【００８３】
用語「安産」が非利用用語テーブル３４−２になると、用語「安産」の関連キーワード「マタニティ」が非利用用語テーブル３４−２の関連キーワード欄１５４に登録され、非利用用語テーブル３４−３になる。また、変換辞書３６−１は、用語「安産」及びその関連キーワードが変換辞書３６−１から削除されることにより、変換辞書３６−２になる。用語「安産」及びその関連キーワードが非利用用語テーブル３４−３に登録され、変換辞書３６−２が用語「安産」を含まないので、変換候補画面１２には、用語「安産」が表示されなくなる。
【００８４】
次に、非利用用語の関連用語の非表示に係る操作シーケンスについて図１８を参照する。図１８は、関連用語を非表示にする一例を示す操作シーケンス図である。尚、図１８に示す操作シーケンスは、用語「安産」を非利用用語として登録した場合の一例である。本開示は用語「安産」を非利用用語として用いる場合に限定されるものではない。また、「安産」を非利用用語として用いる場合の操作シーケンスが、本開示に限定されるものではない。非利用用語テーブル３４−３、３４−４は、非利用用語テーブル３４の変遷を表し、変換辞書３６−２、３６−３は、変換辞書３６の変遷を表している。
【００８５】
非利用用語が変換辞書３６から削除されると、非利用用語の関連用語の非表示に係る操作シーケンスが開始される。データ操作は以下の操作を含む。尚、以下の操作は一例である。
【００８６】
４．「非利用用語テーブル」から関連キーワードをバッファに複写する。
５．変換辞書から同一関連キーワードの用語を抽出後、「非利用用語テーブル」に追加する。
６．「非利用用語」として画面に表示後、利用者の「非利用」ボタン押下で「非利用用語」を変換辞書から削除する。
【００８７】
〔４．「非利用用語テーブル」から関連キーワードをバッファに複写する。〕
【００８８】
非利用用語テーブル３４−３には関連キーワード「マタニティ」が登録されているので、この「マタニティ」が、非利用関連キーワードバッファ２４−１に複写される。非利用関連キーワードバッファ２４−１には関連キーワード「マタニティ」が記憶される。
【００８９】
〔５．変換辞書から同一関連キーワードの用語を抽出後、「非利用用語テーブル」に追加する。〕
【００９０】
変換辞書３６−２には、関連キーワード「マタニティ」と関連付けられた用語「腹帯」、「産婦人科」、「妊婦」が登録されているので、これらの用語が変換辞書３６−２から抽出され、非利用用語テーブル３４−３に登録される。これらの用語の追加により、非利用用語テーブル３４−４には、用語「安産」に追加されて、用語「腹帯」、「産婦人科」、「妊婦」が登録される。また、非利用用語テーブル３４−４には、これらの用語の関連キーワードも登録される。
【００９１】
〔６．「非利用用語」として画面に表示後、利用者の「非利用」ボタン押下で「非利用用語」を変換辞書から削除する。〕
【００９２】
用語「腹帯」、「産婦人科」、「妊婦」は、非利用用語画面１３８（図８Ｆ）により表示される。利用者による非利用ボタン１４０の押下を契機に表示した用語が非利用用語として変換辞書３６−２から削除される。用語「腹帯」、「産婦人科」、「妊婦」及びその関連キーワード「マタニティ」が変換辞書３６−２から削除されることにより、変換辞書３６−３になる。用語「腹帯」、「産婦人科」、「妊婦」及びその関連キーワードが非利用用語テーブル３４−４に登録され、変換辞書３６−３がこれらの用語を含まないので、用語「安産」に加えて用語「腹帯」、「産婦人科」、「妊婦」を変換候補として非表示にすることができる。
【００９３】
次に、非利用用語の復元に係る操作シーケンスについて図１９を参照する。図１９は、非利用用語を復元する一例を示す操作シーケンス図である。尚、図１９に示す操作シーケンスは、「安産」が入力された場合の一例である。本開示は「安産」を入力する場合に限定されるものではない。また、「安産」が入力された場合の操作シーケンスが、本開示に限定されるものではない。非利用用語テーブル３４−４、３４−５は、非利用用語テーブル３４の変遷を表し、変換辞書３６−３、３６−４は、変換辞書３６の変遷を表している。
【００９４】
データ操作は以下の操作を含む。尚、以下の操作は一例である。
【００９５】
１．画面操作により「安産」を入力する。
２．「安産」の関連キーワードの全ての用語を変換辞書に復元する。
３．復元した用語を「非利用用語テーブル」から削除する。
【００９６】
〔１．画面操作により「安産」を入力する。〕
【００９７】
利用者が画面操作を行うと、電子機器２はその操作を受け付ける。例えば、用語「安産」を受け付ける。受け付けた用語は、入力バッファ２５−１に入力され、一時的に記憶される。
【００９８】
〔２．「安産」の関連キーワードの全ての用語を変換辞書に復元する。〕
【００９９】
非利用用語テーブル３４−４の用語欄１５２には以下の各用語が登録され、関連キーワード欄１５４には各用語に関連する以下の関連キーワードが登録されている。
【０１００】
〔用語〕    〔関連キーワード〕
安産        マタニティ
腹帯        マタニティ
産婦人科    マタニティ
妊婦        マタニティ
【０１０１】
非利用用語テーブル３４−４には、入力バッファ２５−１に記憶されている用語「安産」が登録されているので、用語「安産」及び用語「安産」の関連キーワードを有する用語「腹帯」、「産婦人科」、「妊婦」が変換辞書３６−３に登録され、これらの用語が復元される。これにより変換辞書３６−３は変換辞書３６−４になる。この復元により、例えば変換辞書３６−４が変換辞書３６−１と同じデータを格納することも可能になる。
【０１０２】
〔３．復元した用語を「非利用用語テーブル」から削除する。〕
【０１０３】
変換辞書３６に復元された用語「安産」、「腹帯」、「産婦人科」、「妊婦」は非利用用語テーブル３４−４から削除される。これにより、非利用用語テーブル３４−４は非利用用語テーブル３４−５になる。用語「安産」、「腹帯」、「産婦人科」、「妊婦」が非利用用語テーブル３４から削除され、変換辞書３６に復元されることにより、変換候補を表示する際にこれらの用語が表示可能になる。電子機器２は、非利用用語を関連用語も含めて非表示にし、これらの用語が使用されると再表示するので、用語変換の利便性が高まる。
【０１０４】
〔第３の実施の形態〕
【０１０５】
本開示の第３の実施の形態について、図２０ないし図２６を参照して説明する。
【０１０６】
第３の実施の形態では、変換辞書１６０がフラグを登録する非利用フラグ欄１６２を含んでいる（図２４、図２５、図２６）。非利用フラグ欄１６２には「ＹＥＳ」又は「ＮＯ」が登録される。「ＹＥＳ」を表す非利用フラグが登録されている場合、対応する変換候補が非利用用語であることを表し、利用対象外の用語に設定されていることを表す。「ＮＯ」を表す非利用フラグが登録されている場合、対応する変換候補が利用用語であることを表し、利用対象の用語に設定されていることを表す。非利用フラグは、この非利用フラグ欄１６２に対応する変換候補が非利用用語であるか利用用語であるかを示す判別情報の一例である。この実施の形態では、フラグを用いて変換候補の利用又は非利用を識別する。
【０１０７】
変換候補の利用又は非利用を識別するため、非利用用語非表示機能４２（図７）は、非利用用語を変換辞書３６から削除する代わりに、非利用用語に対応する非利用フラグを「ＮＯ」から「ＹＥＳ」に変更する。これにより、非利用用語の指定を受け付けた場合に、非利用用語に対応する変換候補を利用対象外に設定できる。
【０１０８】
関連用語非表示機能４４（図７）は、関連用語を変換辞書３６から削除する代わりに、関連用語に対応する非利用フラグを「ＮＯ」から「ＹＥＳ」に変更する。これにより、非利用用語の関連用語に対応する変換候補が利用対象外に設定できる。
【０１０９】
情報表示化機能４６（図７）は、用語の編集の際に、非利用用語テーブル３４に登録されている用語が入力されると、入力された用語を変換辞書１６０に復元し、変換候補として表示可能な状態に変更する。変換辞書１６０への復元は、非利用フラグを「ＹＥＳ」から「ＮＯ」に変更することで行う。入力された用語を変換辞書１６０に復元する際、この入力された用語に関連する関連用語も含めて変換辞書１６０に復元する。その他の構成は第２の実施の形態と同様であるのでその説明を省略する。
【０１１０】
次に、非利用用語及びその関連用語の非表示について図２０及び図２１を参照する。図２０は、非利用用語を削除する処理手順の一例を示すフローチャートであって、図１１に示す非利用用語の削除処理（Ｓ１０６）のサブルーチンである。図２１は、関連用語を削除する処理手順の一例を示すフローチャートであって、図２０に示す関連用語削除処理（Ｓ２０３）のサブルーチンである。尚、非利用用語の削除及び関連用語の削除は、例えば、表示対象から除外され、変換候補として非表示にされる状態を含むものとする。例えば、表示候補として表示されることが削除されることを含むものとする。
【０１１１】
図２０に示す処理手順では、非利用用語非表示機能４２が非利用用語テーブル３４に非利用用語を記録すると（Ｓ２０１）、非利用用語に対応する非利用フラグを「ＹＥＳ」へ変更する（Ｓ２０２）。この記録及び非利用フラグの変更により非利用用語が変換候補として表示されることが防止され、非利用用語が非表示化される。そして関連用語非表示機能４４が関連用語の削除処理（Ｓ２０３）を行った後、変換機能が終了したかを確認する処理（図１１、Ｓ１０９）へリターンする。
【０１１２】
図２１に示す処理のうち、Ｓ２２１からＳ２２６は、図１３に示す処理のＳ１４１からＳ１４６に対応するので、その説明を省略する。図２１に示す処理手順では、非利用用語テーブル３４に関連キーワードを記録すると（Ｓ２２６）、非利用用語に対応する非利用フラグを「ＹＥＳ」へ変更する（Ｓ２２７）。非利用フラグの変更により、変換候補として表示しない状態にした後、非利用用語の削除処理手順のリターン処理へ移行する。
【０１１３】
次に、非利用用語及び関連用語の表示化について図２２及び図２３を参照する。図２２は、削除済み用語を復活させる処理手順の一例を示すフローチャートであって、削除済み用語の復活処理（図１１のＳ１０８）のサブルーチンである。図２３は、削除済み関連用語を復活させる処理手順の一例を示すフローチャートであって、削除済み関連用語の復活処理（図２２のＳ２４４）のサブルーチンである。
【０１１４】
図２２に示す復活処理では、情報表示化機能４６により、入力された文字が非利用用語テーブル３４に登録されているか否かを判断する。入力された文字が非利用用語テーブル３４に登録されていない場合（Ｓ２４１のＮＯ）、斯かる処理を終了して変換機能が終了したか（図１１のＳ１０９）へリターンする。入力された文字が非利用用語テーブル３４に登録されている場合（Ｓ２４１のＹＥＳ）、この入力された文字の用語に対応する非利用フラグを「ＮＯ」に変更する（Ｓ２４２）。これにより、入力された文字の用語が変換辞書１６０に復元する。そして、非利用用語テーブル３４に登録されているこの用語を非利用用語テーブル３４から削除し（Ｓ２４３）、削除済み関連用語の復活処理（Ｓ２４４）を行い、変換機能が終了したか（図１１のＳ１０９）へリターンする。
【０１１５】
図２３に示す削除済み関連用語の復活処理手順では、情報表示化機能４６が変換辞書１６０に復元した用語の関連キーワードを抽出すると（Ｓ２６１）、この関連キーワードと関連づけられている用語を非利用用語テーブル３４から抽出する（Ｓ２６２）。情報表示化機能４６は、この関連キーワードと関連付けられている用語の非利用フラグを「ＮＯ」に変更する（Ｓ２６３）。これにより、削除済み用語に関連付けられている削除済み関連用語が変換辞書に１６０に復元する。情報表示化機能４６は、復元した用語を非利用用語テーブル３４から削除する（Ｓ２６４）。全ての抽出用語の処理が済んでいない場合（Ｓ２６５のＮＯ）関連用語を非利用用語テーブル３４から抽出する処理（Ｓ２６２）へ戻り、処理を繰り返し、全ての抽出用語の処理が済むと（Ｓ２６５のＹＥＳ）削除済み用語の復活処理（図２２）へリターンする。
【０１１６】
次に、操作シーケンスについて図２４、図２５及び図２６を参照する。図２４、図２５及び図２６に示す操作シーケンスは、図１７、図１８及び図１９に示す操作シーケンスに対応している。
【０１１７】
図２４に示す変換辞書１６０−１、１６０−２は非利用フラグ欄１６２を有している。変換辞書１６０−１、１６０−２は、用語の利用又は非利用の関係が、変換辞書３６−１、３６−２にそれぞれ対応している。図２４に示す操作シーケンスでは、「非利用用語」を変換辞書から削除する代わりに「非利用用語」の非利用フラグを「ＹＥＳ」に変更している。その他の操作シーケンスは、第２の実施の形態と同様であるのでその説明を省略する。
【０１１８】
図２５に示す変換辞書１６０−２、１６０−３は非利用フラグ欄１６２を有している。変換辞書１６０−２、１６０−３は、用語の利用又は非利用の関係が、変換辞書３６−２、３６−３にそれぞれ対応している。図２５に示す操作シーケンスでは、利用者の「非利用」ボタン押下で「非利用用語」を変換辞書から削除する代わりに、利用者の「非利用」ボタン押下で「非利用用語」の非利用フラグを「ＹＥＳ」に変更している。その他の操作シーケンスは、第２の実施の形態と同様であるのでその説明を省略する。
【０１１９】
図２６に示す変換辞書１６０−３、１６０−４は非利用フラグ欄１６２を有している。変換辞書１６０−３、１６０−４は、用語の利用又は非利用の関係が、変換辞書３６−３、３６−４にそれぞれ対応している。その他の操作シーケンスは、第２の実施の形態と同様であるのでその説明を省略する。
【０１２０】
この実施の形態では、変換辞書１６０が非利用フラグ欄１６２を有しているので、非利用用語を変換辞書から削除することなく、用語を非表示にすることができる。
〔第４の実施の形態〕
【０１２１】
本開示の第４の実施の形態について、図２７を参照して説明する。図２７は第４の実施の形態に係る携帯電話機の一例を示す図である。尚、図２７に示す携帯電話機は一例であって、斯かる構成に本開示が限定されるものではない。図５と同一部分には同一符号を付してある。
【０１２２】
携帯電話機２０２は、電子機器２の一例であり、第１の筐体２０４及び第２の筐体２０６を含んでいる。第１の筐体２０４及び第２の筐体２０６はヒンジ部２０８を介して接合されている。ヒンジ部２０８は第１の筐体２０４及び第２の筐体２０６を開閉可能に接合することにより、第１の筐体２０４及び第２の筐体２０６が開閉可能に構成される。第１の筐体２０４、第２の筐体２０６及びヒンジ部２０８は、筐体２１０を構成している。
【０１２３】
第１の筐体２０４には、ディスプレイ２１２及び第１のスピーカ１１０−１が設置される。ディスプレイ２１２は表示部１０６を構成し、第１のスピーカ１１０−１はスピーカ１１０を構成する。第２の筐体２０６には、文字入力ボタン２１４及びカーソルキー２１６が設置され、キー入力部１０４を構成する。第２の筐体２０６には、第２のスピーカ１１０−２及びマイクロホン１１２が設置される。第２のスピーカ１１０−２はスピーカ１１０を構成する。筐体２１０の内部には、プロセッサ１０２、記憶部１４、オーディオ入出力部１０８、無線部１１４及びアンテナ１１６が設置される。その他の構成は第２の実施の形態又は第３の実施の形態と同様であるので、その説明を省略する。第４の実施の形態では、携帯電話機２０２により電子機器２を構成することができる。
〔第５の実施の形態〕
【０１２４】
本開示の第５の実施の形態について、図２８を参照して説明する。
【０１２５】
この実施の形態では、プロセッサ１０２は、利用対象外として設定された変換候補を非表示にすることに代えて、これらの変換候補を利用対象外として設定された変換候補以外の変換候補の後ろに表示する。即ち、プロセッサ１０２は、利用対象外として設定された変換候補以外の変換候補を優先的に表示するとともに、利用対象外として設定された変換候補をこれらの変換候補の後ろに表示する。例えば、利用対象外として設定された変換候補は、利用対象外として設定された変換候補以外の変換候補の下に表示される。プロセッサ１０２を既述のように変更することを除き、その他の構成は既述の実施の形態と同様であるのでその説明を省略する。
【０１２６】
例えば、図２８Ａに示す変換候補画面１２の表示中に用語「安産」が選択され、用語「安産」に関連する用語が抽出されると、これらの用語が利用対象外に設定される。プロセッサ１０２は、利用対象外に設定された用語以外の用語を、変換候補画面１２に優先的に表示させる。図２８Ａに示す変換候補では、用語「安全運転」、「行脚」、「安心」、「アンコウ」、「案」、・・・が用語「安産」よりも優先的に表示される。つまり、利用対象外に設定された変換候補が除かれ、それ以外の変換候補が前側に詰められて表示されるので、それ以外の変換候補の優先性が高まる。プロセッサ１０２は、利用対象外に設定された用語以外の用語の表示の後に用語「安産」等の利用対象外に設定された用語を表示する。この結果、図２８Ｂに示す変換候補画面１２に表示画面が変化する。図２８Ｂに示す変換候補画面１２では、用語「安全運転」、「行脚」、「安心」、「アンコウ」、「案」、・・・の表示が用語「安産」よりも優先して表示されている。その結果として、変換候補の探知が容易になり変換候補の利便性が高まる。なお、利用対象外に設定された用語は、変換候補として選択可能な状態で表示するようにしてもよく、利用対象外の変換候補として選択できない状態で単に表示のみを行うようにしてもよい。
【０１２７】
このような表示処理に際し、第２の実施の形態で例示したように、プロセッサ１０２は、例えば、利用対象外として設定された変換候補を変換辞書３６から削除して、非利用用語テーブル３４に登録する。この場合、プロセッサ１０２は、変換辞書３６から抽出される変換候補を優先的に表示した後、非利用用語テーブル３４から抽出される変換候補を表示すればよい。第３の実施の形態で例示したように、プロセッサ１０２は、例えば、変換辞書１６０に非利用フラグ欄１６２を設けて非利用用語か利用用語かを判別する。この場合、非利用フラグが「ＮＯ」に対応する用語を優先的に表示した後、非利用フラグが「ＹＥＳ」に対応する用語を表示すればよい。
【０１２８】
以上説明した実施の形態について、その特徴事項や変形例を以下に列挙する。
【０１２９】
(1) 上記第２の実施の形態では、メール編集の際に変換候補を表示する例について説明したが、変換候補の表示は、メール編集の際に限定されるものではない。文章作成、プレゼンテーション資料作成及びｗｅｂサイト検索時の入力等に対して変換候補を表示するようにしてもよい。
【０１３０】
(2) 上記実施の形態では、用語として「安全運転」、「アンコウ」、「案」等を例示したが、用語は文字又は文字列に限定されるものではない。たとえば、記号又は数字を用いて用語を構成してもよく、これらと文字を組み合わせた記号列で構成してもよい。
【０１３１】
(3) 上記実施の形態では、変換候補として「安全運転」、「安産」、「行脚」等を表示したが、斯かる表示は一例であり、表示される変換候補の数は、限定されるものではない。変換辞書３６に多数の用語又は記号が登録され、「あん」等の入力情報に対応する変換候補が多数存在する場合は、これらの全てが表示候補となる。全ての表示候補を一度に変換候補画面１２に表示できない場合、例えば表示候補の一部を変換候補画面１２に表示し、キー入力部１０４の操作により、他の表示候補を表示するように画面を切り替えるようにする。これにより表示候補を全て表示することが可能になる。
【０１３２】
(4) 上記実施の形態では、１つの用語に対して１つずつ関連キーワードが付与されていたが、１つに限定されるものではなく、１つの用語に対して複数の関連キーワードを付与してもよい。非利用用語に対して複数の関連キーワードを付与すると、各関連キーワードを含む関連用語を抽出することができ、関連用語の抽出が効率的に行える。また、非利用用語から抽出される関連用語に対して複数の関連キーワードを付与した場合も、斯かる関連用語を複数の関連キーワードのいずれかから抽出することができるので、関連用語の抽出が効率的に行える。
【０１３３】
(5) 上記実施の形態では、利用用語に付与されている関連キーワードを用いて関連用語を抽出したが、これに限定されない。例えば非利用用語に類似するキーワードを用いて非利用用語に類似する類似用語を抽出するようにしてもよい。非利用用語に類似するキーワードは関連キーワードの一例であって、例えば類似キーワードである。類似用語は関連用語の一例である。類似キーワードの設定及び付与は、例えば、シソーラスに基づき行うことができる。
【０１３４】
(6) 上記実施の形態では、非利用ボタンを画面上に表示したが、これに限定されるものではなく、例えば、画面から離れた位置に押しボタンを設けてもよい。また、非利用ボタンの操作は例えば、押下に限定されるものではなく、クリック操作、タッチ操作、振動を与える操作等の操作であってもよい。
【０１３５】
(7) 第２の実施の形態では、選択された用語を非利用用語テーブルに登録した後、変換辞書から削除したが、斯かる例に限定されるものではない。例えば、用語の登録および削除を同時に行ってもよく、用語を変換辞書から削除した後に非利用用語テーブルに登録してもよい。この様に処理手順を変更したとしても選択された用語を非表示にすることができる。
【０１３６】
(8) 第２の実施の形態では、関連用語およびその関連キーワードを非利用用語テーブルに登録した後、変換辞書から削除したが、斯かる例に限定されるものではない。例えば、用語及びキーワードの登録および削除を同時に行ってもよく、用語およびキーワードを変換辞書から削除した後に非利用用語テーブルに登録してもよい。この様に処理手順を変更したとしても選択された用語を非表示にすることができる。
【０１３７】
(9) 上記実施の形態では、電子機器として、携帯電話機、個人用情報端末及びパーソナルコンピュータを例示したが、斯かる例に限定されるものではない。例えば、表示手段を持たないような電子機器であってもよい。例えば、電子機器が表示手段を持たないパーソナルコンピュータである場合、表示に関する情報を出力することにより、外部の表示手段に変換候補を表示することができる。
【０１３８】
(10) 上記実施の形態では、本開示のプログラムをＲＯＭに記憶したが、プログラムを格納する「コンピュータ読取り可能な記録媒体」は、例えばＣＤ(Compact Disc)−ＲＯＭやＤＶＤディスク等のディスク型媒体、ＵＳＢメモリ等の可搬型記録媒体やフラッシュメモリ等の半導体メモリ等のメモリ媒体等の頒布できる記憶媒体、ハードディスクドライブなどの磁気記録媒体等であってもよい。これらのプログラムが、これらの記憶媒体に記録され、プロセッサがこれらの記憶媒体からこれらのプログラムを読み出して実行するようにしても既述の各機能を実行することができる。
【０１３９】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【符号の説明】
【０１４０】
２  電子機器
４  制御部
１２  変換候補画面
１４  記憶部
３４、３４Ａ、３４Ｂ、３４−１〜３４−５  非利用用語テーブル
３６、３６Ａ、３６Ｂ、３６−１〜３６−４、１６０、１６０−１、１６０−２、１６０−３、１６０−４  変換辞書
１０２  プロセッサ
１０４  キー入力部
１０６  表示部
１３２  メール編集画面
１３６、１４０  非利用ボタン
１３８  非利用用語画面
【図１】
0005821593.tif 000002
【図２】
0005821593.tif 000003
【図３】
0005821593.tif 000004
【図４】
0005821593.tif 000005
【図５】
0005821593.tif 000006
【図６】
0005821593.tif 000007
【図７】
0005821593.tif 000008
【図８】
0005821593.tif 000009
【図９】
0005821593.tif 000010
【図１０】
0005821593.tif 000011
【図１１】
0005821593.tif 000012
【図１２】
0005821593.tif 000013
【図１３】
0005821593.tif 000014
【図１４】
0005821593.tif 000015
【図１５】
0005821593.tif 000016
【図１６】
0005821593.tif 000017
【図１７】
0005821593.tif 000018
【図１８】
0005821593.tif 000019
【図１９】
0005821593.tif 000020
【図２０】
0005821593.tif 000021
【図２１】
0005821593.tif 000022
【図２２】
0005821593.tif 000023
【図２３】
0005821593.tif 000024
【図２４】
0005821593.tif 000025
【図２５】
0005821593.tif 000026
【図２６】
0005821593.tif 000027
【図２７】
0005821593.tif 000028
【図２８】
0005821593.tif 000029